(57)【要約】【課題】  ランドセル等の背負いかばんについて、使用中の発汗による不快感を少なくし、もってより使いやすいものとする。【解決手段】  ランドセル等の背負いかばんにおいて、背負いかばん１０を背負うための、背負いベルト１２、１３の結合部を相手として、カバン本体１１の背板４１と使用者の背中との間に介在する多孔板構造より成る通気性のスペーサー４０を装着する。通気性のスペーサー４０は、スペーサー４０の構造強度を負担するスペーサー本体４２と、スペーサー本体４２に重ねて設けられるシート材４３から成る２重構造を有し、かつカバン本体１１の背板４１とほぼ同大の大きさを有している。通気性のスペーサー４０は、背負いベルト１２、１３の上部取り付け部１４、１５を通すための通口部４４を上部に有し、背負いベルト１２、１３の下部取り付け部１６、１７に掛けるための弾力性リング４５、４６を下部左右に有している。【選択図】          図１
0003107696.tif 000002
【実用新案登録請求の範囲】
【請求項１】
ランドセル等の背負いかばんの背負い部において、背負いかばんを背負うための、背負いベルトの結合部を相手として、カバン本体の背板と使用者の背中との間に介在する多孔板構造より成る通気性のスペーサーを装着したことを特徴とする背負いかばん。
【請求項２】
通気性のスペーサーは、スペーサーの構造強度を負担するスペーサー本体と、スペーサー本体に重ねて設けられるシート材から成る２重構造を有しており、かばん本体の背板とほぼ同大の大きさを有している請求項１記載の背負いかばん。
【請求項３】
通気性のスペーサーは、背負いベルトの上部取り付け部を通すための通口部を上部に有
し、背負いベルトの下部取り付け部に掛けるための弾力性リングを下部左右に有している請求項１記載の背負いかばん。
【考案の詳細な説明】
【技術分野】
【０００１】
本考案は、ランドセル等の背負いかばんの改良に関するものである。
【背景技術】
【０００２】
ランドセルは背負うものであるため両手の自由を得られる反面、背中に背板が密着し、夏期には汗で不愉快な思いをすることとなる。この点に対する改良として、背板の素材を通気性の良好なものとするというようなことが行われているが、素材の改良だけでは発汗対策として不十分であり、このため特開平１０−３３２６０号のような部材を使用する提案がなされている。同号の考案は、通気性のある背当てと称するもので、縦横格子状構造により通気を確保しているが、どのような材料を用いているのか、格子状構造に見える背当てが背中にどのように接触するのか、具体的構成が不明であるため、痛みは生じないのか等の疑問も生ずる。
【０００３】
【特許文献１】特開平１０−３３２６０号
【考案の開示】
【考案が解決しようとする課題】
【０００４】
本考案は前記の点に着目してなされたもので、その課題は、ランドセル等の背負いかばんについて、使用中の発汗により不快感を少なくし、もってより使いやすいものとすることである。
【課題を解決するための手段】
【０００５】
前記の課題を解決するため、本考案の背負いかばんにおいては、かばん本体の背板と使用者の背中との間に介在する多孔板構造より成る通気性のスペーサーを装着することができる。この多孔板構造は、背板と背中に挟まれて弾力的に変形可能な、プラスチック製であることが好ましい結果をもたらす。例えば、格子状構造、或いはメッシュ状構造を有するプラスチック製品は本考案におけるスペーサーとして、弾力性があり、汗により変質せず、身体に害を及ぼさない等の見地から好適な素材の一つと言えるであろう。
【０００６】
通気性のスペーサーは、スペーサーの構造強度を負担するスペーサー本体と、スペーサー本体に重ねて設けられるシート材から成る２重構造を有し、かばん本体の背板とほぼ同大の大きさを有していることが望ましい。２重或いは２層といっても良い構成とすることにより、２層間に通気部を生じており、しかも１層は使用者の背に接し、他の１層はかばん本体に接し、各層は相対的に動き得るので通気性はより良好となる。
【０００７】
通気性のスペーサーは、背負いベルトの上部取り付け部を通すための通口部を上部に有し、背負いベルトの下部取り付け部に掛けるための弾力性リングを下部左右に有してい
る。この構成により通気性スペーサーをかばん本体に確実かつ容易に取り付けられ、発汗対策の必要がなくなった季節には取り外しておくことができる。また、背負いベルトの上部取り付け部に通口部を通すので、使用中に通気性スペーサーがしっかりと固定され、ずれにくいため使用上の不具合を感じるおそれもない。
【考案の効果】
【０００８】
本考案は以上の如く構成されかつ作用するものであるから、多孔板構造より成る通気性のスペーサーにより発汗を抑制し、不快感を低減することができるという効果を奏する。
【考案を実施するための最良の形態】
【０００９】
以下図示の実施形態を参照して本考案をより詳細に説明する。図１は背負いかばん１０であるランドセルに本考案を適用した場合の例示であり、１１はかばん本体、１２、１３は左右の背負いベルトで、その上部取り付け部１４、１５は背カンと通称される部分に、またその下部取り付け部１６、１７はダルマカンと通称される部分に結合されている。この内、背負いベルト１２、１３は、バックル１８、１９の部分で着脱し長さ調節可能になっている。
【００１０】
保持体２０は縦長に形成されており、背負いベルト１２、１３に通したときに内側つまり身体側に来る部分には弾力性材を充填したパッド２１が設けられ、外側つまり手で操作し易い側には表布２２がパッド２１とともに筒状構造を作るように設けられ、さらにその表布２２の外面に防犯ブザー２３を装着するポケット２４が設けられている。例示のポケット２４はメッシュ状素材を、上辺と、下辺の一部を残して保持体２０に縫い着けたもので、下辺の一部は、防犯ブザー２３の操作端２６及びそれに取り付けた引き紐２７を外部へ出すための口部２５になっている。２８は反射テープであり、保持体２０のほぼ全長に及び縫製により設けられている。２９はずれ止めであり、上部取り付け部１４に取り付けられる。
【００１１】
例示のものでは、もう一つの保持体３０が用意されており、これも縦長に設けられ、同様のパッド３１と筒状構造をなす表布３２から成り、表布３２の外面に、内部を透視できない素材より成る収納部３４が設けられている。収納部３４にはキーなどの小物３３を入れられるようになっており、小物３３を紐など３５により結び付けておくための取り付け孔３６が保持体３０にハトメなどにより設けられている。３８は反射テープであり、保持体３０のほぼ全長に及んで縫製により設けられている。また３９はずれ止めであり、上部取り付け部１４に取り付けられる。
【００１２】
本考案では、かばん本体１１の背板４１と使用者の背中との間に介在する多孔板構造より成る通気性のスペーサー４０が装着されている。例示のスペーサー４０は、数ミリメートル角の格子状構造を有し、スペーサー４０の構造強度を負担するスペーサー本体４２
と、スペーサー本体４２に重ねて設けられ約１ミリメートル角の穴明き構造を有するメッシュ状のシート材４３から成る２重構造を持ち、カバン本体１１の背板４１とほぼ同大の大きさを有している。
【００１３】
通気性のスペーサー４０をかばん本体１１に取り付ける手段として、背負いベルト１２、１３の上部取り付け部１４、１５を通すための通口部４４を上部に設け、また、背負いベルト１２、１３の下部取り付け部１８、１９に掛けるための弾力性リング４５、４６を下部左右に設けている。４７はスペーサー縁取りを示す。
【００１４】
このように構成された本考案に係る背負いかばんでは、背負いベルトの一方１２に内部を透視できるポケット２４を持った保持体２０を装着し、また背負いベルトの他方１３に内部を透視できない収納部３４を持った保持体３０を装着することができる。保持体２０、３０は、背負いベルト１２、１３を筒状構造内に挿し通すとともに、ずれ止め２９、３９を上部取り付け部１４、１５に取り付けることによって、定位置に装着されるので、防犯ベル２３の引き紐２７を引く操作をし易い。またスペーサー４０は背負いベルト１２、１３を通口部４４に通して上部取り付け部１４、１５に嵌め合わせ、かつ弾力性リング４５、４６を下部取り付け部１６、１７に掛け止めて取り付けるが、その際、目の細いシート材４３の方を外側にすると背中への当たりが柔らかくなる。
【図面の簡単な説明】
【００１５】
【図１】本考案に係る背負いかばんの実施例を示す分解斜視図。
【図２】同上の下面図。
【図３】同じく側面図。
【符号の説明】
【００１６】
１０  背負いかばん
１１  かばん本体
４０  スペーサー
４１  背板
４２  スペーサー本体
４３  シート材
４４  通口部
４５、４６  弾力性リング
【図１】
0003107696.tif 000003
【図２】
0003107696.tif 000004
【図３】
0003107696.tif 000005